(57)【要約】      （修正有）【課題】構造が簡単であり、掃除が簡単に行える動物用トイレを提供する。【解決手段】動物用トイレ１は、容器本体２と、蓋３と、収納容器４とを備える。容器本体は、上端部に開口２０２を有する有底筒状に形成されている。蓋は、容器本体に対して着脱自在に設けられ、開口２０２を塞ぐ構成とされている。蓋は、容器本体外へ又は容器本体内へ動物が出入り可能とされる出入口３１を持っている。収納容器は、容器本体内の底部に配置可能とされ、上端部に開口４０２を有し、容器本体に比し高さが低い有底筒状に形成されている。収納容器の底部には主に通気性を確保するための複数の貫通孔が配列されたメッシュ部４４が配設されている。【選択図】図３
0003219723.tif 000002
【実用新案登録請求の範囲】
【請求項１】
上端部に第１開口を有する有底筒状の容器本体と、
当該容器本体に対して着脱自在に設けられ、厚さ方向に貫通して前記容器本体外へ又は前記容器本体内へ動物が出入り可能とされる出入口を有し、前記第１開口を塞ぐ蓋と、
前記容器本体内の底部に配置可能とされ、上端部に第２開口を有し、前記容器本体に比し高さが低い有底筒状に形成され、かつ、底部に厚さ方向に貫通された複数の貫通孔が配列された収納容器と、
を備えた動物用トイレ。
【請求項２】
前記容器本体の側壁部の前記第１開口に近接する位置に配設された位置決め部と、
前記蓋の周縁に配設され、前記位置決め部と嵌合されて前記容器本体に対し前記蓋の位置決めがなされる被位置決め部と、
前記位置決め部とは異なる位置において、前記側壁部の前記第１開口に近接する位置に配設された取付け部と、
前記蓋の周縁の前記被位置決め部とは異なる位置に配設され、前記取付け部に着脱自在に取り付けられる被取付け部と、
を更に備えている請求項１に記載の動物用トイレ。
【請求項３】
前記蓋は、
下面から下方へ立設され、前記出入口の周縁に沿って複数平行に延設されるリブ部と、
前記下面とは反対側の上面に前記リブ部の配列に対応させて配設され、前記下面側へ向かって凹設され、かつ、前記リブ部の延設方向に沿って延設される溝部と、
を更に備えた請求項１又は請求項２に記載の動物用トイレ。
【請求項４】
前記収納容器は、
前記第２開口の周縁から外側へ折り返され、前記第２開口の周縁に沿って配設された折返し部と、
当該折返し部の折り返された内側において前記第２開口の周縁に沿って所定の間隔に配設された複数の第１補強用リブ部と、
前記折返し部よりも下方において前記収納容器の側壁部に貫通して設けられた取っ手部と、
を更に備えた請求項１〜請求項３のいずれか１項に記載の動物用トイレ。
【請求項５】
前記折返し部の前記取っ手部に対応する領域に、前記第１補強用リブ部の配設の間隔に比し短い配設の間隔に設定された複数の第２補強用リブ部が設けられている請求項４に記載の動物用トイレ。
【考案の詳細な説明】
【技術分野】
【０００１】
本考案は、動物用トイレに関する。
【背景技術】
【０００２】
下記特許文献１には、猫用トイレが開示されている。この猫用トイレには、有底円筒状のトイレ本体内の上下方向中間部に逆円錐状の底部が設けられている。底部の中央にはモータに接続された回転軸が立設され、この回転軸にはトイレ本体の内側周壁まで伸びる排泄物かき出し部材が一体に形成されている。底部には、猫砂が敷き詰められる仕様とされている。
上記猫用トイレでは、モータが駆動されると回転軸が回転し、この回転軸に一体に形成された排泄物かき出し部材が回転する。猫砂に排泄された猫の排泄物は、排泄物かき出し部材によってかき出されると共に、底部下に設置された排泄物収納容器へ運ばれる。
【先行技術文献】
【特許文献】
【０００３】
【特許文献１】特開２００８−６１５８１号公報
【考案の概要】
【考案が解決しようとする課題】
【０００４】
上記猫用トイレは、排泄物のかき出しを自動的に行えるので、利便性に優れている。しかしながら、モータ、回転軸、排泄物かき出し部材等の部品点数が多いので、構造が複雑になる。このため、構造が簡単であり、排泄物の処理等の掃除が簡単に行える動物用トイレが望まれていた。
【０００５】
本考案は、上記事実を考慮して、構造が簡単であり、掃除が簡単に行える動物用トイレを提供する。
【課題を解決するための手段】
【０００６】
本考案の第１実施態様に係る動物用トイレは、上端部に第１開口を有する有底筒状の容器本体と、容器本体に対して着脱自在に設けられ、厚さ方向に貫通して容器本体外へ又は容器本体内へ動物が出入り可能とされる出入口を有し、第１開口を塞ぐ蓋と、容器本体内の底部に配置可能とされ、上端部に第２開口を有し、容器本体に比し高さが低い有底筒状に形成され、かつ、底部に厚さ方向に貫通された複数の貫通孔が配列された収納容器と、を備えている。
【０００７】
本考案の第２実施態様に係る動物用トイレは、第１実施態様に係る動物用トイレにおいて、容器本体の側壁部の第１開口に近接する位置に配設された位置決め部と、蓋の周縁に配設され、位置決め部と嵌合されて容器本体に対し蓋の位置決めがなされる被位置決め部と、位置決め部とは異なる位置において、側壁部の第１開口に近接する位置に配設された取付け部と、蓋の周縁の被位置決め部とは異なる位置に配設され、取付け部に着脱自在に取り付けられる被取付け部と、を更に備えている。
【０００８】
本考案の第３実施態様に係る動物用トイレでは、第１実施態様又は第２実施態様に係る動物用トイレにおいて、蓋は、下面から下方へ立設され、出入口の周縁に沿って複数平行に延設されるリブ部と、下面とは反対側の上面にリブ部の配列に対応させて配設され、下面側へ向かって凹設され、かつ、リブ部の延設方向に沿って延設される溝部と、を更に備えている。
【０００９】
本考案の第４実施態様に係る動物用トイレでは、第１実施態様〜第３実施態様のいずれか１つに係る動物用トイレにおいて、収納容器は、第２開口の周縁から外側へ折り返され、第２開口の周縁に沿って配設された折返し部と、折返し部の折り返された内側において第２開口の周縁に沿って所定の間隔に配設された複数の第１補強用リブ部と、折返し部の下方において収納容器の側壁部に貫通して設けられた取っ手部と、を更に備えている。
【００１０】
本考案の第５実施態様に係る動物用トイレでは、第４実施態様に係る動物用トイレにおいて、折返し部の取っ手部に対応する領域に、第１補強用リブ部の配設の間隔に比し短い配設の間隔に設定された複数の第２補強用リブ部が設けられている。
【考案の効果】
【００１１】
本考案によれば、構造が簡単であり、掃除が簡単に行える動物用トイレを提供することができる。
【図面の簡単な説明】
【００１２】
【図１】本考案の一実施の形態に係る動物用トイレをやや上方から斜め方向に見た組み付け状態における全体斜視図である。
【図２】図１に示される動物用トイレの断面側面図（図１のＡ−Ａ線において切った断面図）である。
【図３】図１に示される動物用トイレの分解斜視図である。
【図４】図３に示される動物用トイレの容器本体に収納される収納容器の拡大斜視図である。
【図５】図４に示される収納容器を裏面側（下方側）から見た斜視図である。
【考案を実施するための形態】
【００１３】
以下、図１〜図５を用いて、本考案の一実施の形態に係る動物用トイレについて説明する。なお、図中、適宜、示されている矢印Ｘ、矢印Ｙ、矢印Ｚは、各々、三次元座標のＸ軸方向、Ｙ軸方向、Ｚ軸方向を示している。実施の形態の説明の都合上、方向が示されるものであって、実施の形態に係る動物用トイレ並びに各構成要素が上記方向に限定されるものではない。
また、本実施の形態に係る動物用トイレは、動物として猫に使用される「猫用トイレ」として説明するが、特に猫に限定されるものではなく、小動物と呼ばれる犬等のトイレとして使用されてもよい。
【００１４】
（動物用トイレ１の全体構成）
図１〜図３に示されるように、動物用トイレ１は、容器本体２と、容器本体２に対して着脱自在に設けられた蓋３と、容器本体２の内部への配置が可能とされ、又容器本体２の外部への取り出しが可能とされる収納容器４とを含んで構成されている。以下、動物用トイレ１の各構成について説明する。
【００１５】
（容器本体２の構成）
容器本体２は動物用トイレ１の外枠として構成されている。この容器本体２は、上端部に第１開口としての開口２０２を有し、下端部に底部２０３を有し、そして底部２０３の周縁からＺ軸方向へ向かって上方へ立設され、かつ、底部２０３の周縁に沿って配設された側壁部２０１を有する、有底筒状に形成されている。図２を用いて、容器本体２の断面形状を詳しく説明すると、容器本体２は、底部２０３から開口２０２へ向かって僅かに末広がりとなる逆台形状の断面形状に形成されている。
開口２０２は、平面視において、Ｘ軸方向を長軸とし、Ｙ軸方向を短軸とする楕円形状に形成されている。底部２０３は、同様に平面視において、開口２０２と同一の形状に形成され、開口２０２に比し一回り小さい、開口２０２の相似形状に形成されている。そして、側壁部２０１は、筒状に形成され、底部２０３に一体に成形されている。
容器本体２は、本実施の形態では、例えば熱可塑性樹脂材料、更に詳細にはポリプロピレン（polypropylene）を用いて形成されている。
なお、容器本体２の形状は特に限定されるものではなく、例えば開口２０２及び底部の平面形状が、楕円形状に類似する長円形状若しくは卵形状に形成されてもよいし、又矩形状に形成されてもよい。
【００１６】
容器本体２には、位置決め部２１と、取付け部２２とが配設されている。この位置決め部２１は容器本体２に対する蓋３の位置決めに使用されている。また、取付け部２２は容器本体２への蓋３の取り付けに使用されている。
位置決め部２１は、Ｘ軸方向側例えば図２では右側において、側壁部２０１の開口２０２に近接する位置に配設されている。位置決め部２１は、Ｙ軸方向つまり手前から奥行きへ向かう方向を長手方向とし、上下方向を短手方向し、側壁部２０１を厚さ方向に貫通する矩形状貫通孔として形成されている。
一方、取付け部２２は、Ｘ軸方向とは反対側例えば図２では左側において、側壁部２０１の開口２０２に近接する位置に、手前側と奥行き側とに２カ所配設されている。取付け部２２は、側壁部２０１の外面に対して垂直方向から見て、円形状に形成され、側壁部２０１を厚さ方向に貫通する円形状貫通孔として形成されている。
なお、位置決め部２１、取付け部２２の各々の形状は特に限定されるものではなく、位置決め部２１が円形状に形成され、取付け部２２が矩形状に形成されてもよく、又双方が円形状若しくは矩形状に形成されてもよい。
【００１７】
（蓋３の構成）
蓋３はＺ軸方向を板厚方向とする板状に形成されている。そして、容器本体２の開口２０２の形状がここでは楕円形状に形成されているので、蓋３は同様に平面視において開口２０２よりも僅かに小さい相似形状の楕円形状に形成されている。蓋３は容器本体２の開口２０２の部位に着脱自在に取り付けられ、開口２０２に蓋３が嵌まり合っているときには、蓋３は開口２０２を塞いでいる状態である。
蓋３は厚さ方向に貫通する出入口３１を備えている。出入口３１は、平面視において、Ｘ軸方向へ右寄り、かつ、Ｙ軸方向中間部に配設され、ここでは円形状に形成されている。出入口３１は、容器本体２の内部から外部へ、又は容器本体２の外部から内部へ、猫が行き来する通用口として構成されている。本実施の形態において、容器本体２と同様に、蓋３は熱可塑性樹脂材料を用いて形成されている。
なお、出入口３１の形状は円形状に限定されるものではなく、出入口３１は楕円形状、長円形状、卵形状、矩形状等のいずれかの形状に形成されてもよい。
【００１８】
蓋３は、図２に示される複数のリブ部３２と、図１〜図３に示される複数の溝部３３とを更に備えている。
図２に戻って、リブ部３２は、蓋３の下面から下方へ立設され、出入口３１の周縁に沿って複数平行に延設されている。表現を代えれば、リブ部３２は、出入口３１を中心としてその周囲を取り囲んで延設され、出入口３１の外側へ一定の間隔を持って複数形成されている。このリブ部３２は蓋３に一体に形成されている。
また、図１〜図３に戻って、溝部３３は、蓋３の下面とは反対側の上面にリブ部３２の配列に対応させて配設されている。この溝部３３は、蓋３の上面を下面へ向かって凹設し、リブ部３２の延設方向に沿って延設されている。溝部３３は、図２に示されるように、Ｙ軸方向に見て、上側が解放され、下側が円弧形状とされたＵ字形状に形成されている。ここで、溝部３３の配置間隔はリブ部３２の配置間隔の２分の１に設定され、２個の溝部３３の配列に対応させて１個のリブ部３２が配列されている。２個のうちの１個の溝部３３の配列位置は１個のリブ部３２の配列位置に対してＺ軸方向において一致されている。
【００１９】
さらに、蓋３は、図１〜図３に示されるように、被位置決め部３４と、被取付け部３５とを備えている。被位置決め部３４及び被取付け部３５は蓋３と一体に形成されている。
被位置決め部３４は、容器本体２の位置決め部２１に対応する蓋３の周縁のリブ部３２（蓋３の側壁部）に配設されている。被位置決め部３４は、Ｙ軸方向を長手方向とし、Ｚ軸方向を短手方向とする矩形状に形成され、位置決め部２１に嵌まり合う構成とされている。つまり、被位置決め部３４が位置決め部２１に嵌まり合うと、容器本体２に対して蓋３が位置決めされる構成とされている。
【００２０】
被位置決め部３４の下部は位置決め部２１を貫通して容器本体２の側壁部２０１からその外側へ少し突出されている。図２に示されるように、Ｙ軸方向に見て、被位置決め部３４の断面はＬ字形状に形成されている。この被位置決め部３４の突出された部位は、被位置決め部３４を下方へ向けて蓋３を斜めに傾けた状態において、位置決め部２１へ被位置決め部３４を差し込んで位置決めする際に、引っ掛かり易い構成とされている。
また、被位置決め部３４は、熱可塑性樹脂材料を用いて形成され、加えてリブ部３２の下端から下方へ若干延設されているので、Ｘ軸方向へ撓む可撓性を備えている。つまり、容器本体２の外側から内側にＸ軸方向とは反対方向へ被位置決め部３４が押し込まれると、被位置決め部３４が撓んで位置決め部２１から外れる構成とされている。
【００２１】
被取付け部３５は、容器本体２の取付け部２２に対応する蓋３の周縁のリブ部３２（蓋３の側壁部）に配設されている。詳しく説明すると、図３に示されるように、被取付け部３５は、リブ部３２の下端から下方へ延設された支持部３５Ａを介して設けられている。リブ部３２、支持部３５Ａ及び被取付け部３５は一体に形成されている。そして、被取付け部３５は、取付け部２２に嵌まり合う円板形状に形成されている。
被位置決め部３４と同様に、被取付け部３５は、熱可塑性樹脂材料を用いて形成され、加えてリブ部３２及び支持部３５Ａに連結されて形成されているので、可撓性を備えている。つまり、容器本体２の外側から内側にＹ軸方向、Ｙ軸方向とは反対方向へそれぞれ被取付け部３５が押し込まれると、取付け部２２から被取付け部３５が外れる構成とされている。
【００２２】
（収納容器４の構成）
収納容器４は、図１〜図３に示されるように、容器本体２の内部において、この容器本体２の底部２０３に配置可能とされている。詳しく説明すると、図４に示されるように、収納容器４は、上端部に第２開口としての開口４０２を有し、下端部に底部４０３を有し、そして底部４０３の周縁からＺ軸方向へ向かって上方へ立設され、かつ、底部４０３の周縁に沿って配設された側壁部４０１を有する、有底筒状に形成されている。収納容器４の高さは、容器本体２の高さに比し低く、例えば容器本体２の高さの半分以下に設定されている。また、収納容器４は容器本体２の内部に収納されるサイズに設定されているので、収納容器４のＸ軸方向の長さ、Ｙ軸方向の長さはそれぞれ容器本体２の同一方向の長さに比し一回り短く設定されている。
【００２３】
図３及び図４に示されるように、平面視において、開口４０２は、容器本体２の開口２０２（図１及び図３参照）に対応させて、ここでは楕円形状に形成されている。そして、図４及び図５に示されるように、収納容器４には開口４０２の周縁に沿って折返し部４１が配設されている。折返し部４１は、側壁部４０１の上端部を開口４０２の周縁から外側へ折り返して形成され、図２に示されるように下方側が解放された逆Ｕ字形状の断面形状に形成されている。
折返し部４１の折り返された内側には、収納容器４の周方向を厚さ方向とする第１の補強用リブ部としての補強用リブ部４２が、開口４０２の周縁に沿って一定の間隔に複数配設されている。
【００２４】
補強用リブ部４２は折返し部４１の内側に設けられると共に、補強用リブ部４２の下端部は折返し部４１よりも下方へ延設されている。この補強用リブ部４２の下端部は、補強用リブ部４２の厚さ方向に見て、収納容器４の側壁部４０１から折返し部４１の下端に繋がる輪郭形状に形成されている。
折返し部４１及び補強用リブ部４２は収納容器４に一体に形成され、収納容器４は容器本体２と同様に熱可塑性樹脂材料を用いて形成されている。
【００２５】
また、前述の通り、容器本体２が逆台形状の断面形状に形成されているので、容器本体２の開口２０２から収納容器４を入れるときに、開口２０２の周縁と収納容器４の折返し部４１との間に適度なクリアランスが生じる。このため、容器本体２に収納容器４が入れ易い。
一方、容器本体２の底部２０３に収納状態の収納容器４は、その折返し部４１と容器本体２の側壁部２０１の内面との間に殆どクリアランスを生じないので、容器本体２の底部２０３に収納容器４がピッタリと収まる。このため、収納容器４が収納状態にあるとき、容器本体２の下部が収納容器４により内側から補強されるので、容器本体２の全体の剛性を向上させることができる。
【００２６】
図４に示されるように、手前側と奥行き側の２箇所において、収納容器４の側壁部４０１の上端部には、収納容器４の外側へ絞り込んで一段突出させた凸部４０４が形成されている。この凸部４０４には取っ手部４３が設けられている。取っ手部４３は折返し部４１のよりも若干下側に配設されている。特に形状が限定されるものではないが、取っ手部４３は、Ｘ軸方向を長手方向とし、Ｚ軸方向を短手方向とし、側壁部４０１を厚さ方向に貫通する矩形状貫通穴として形成されている。
図５に示されるように、折返し部４１の取っ手部４３に対応する領域、具体的には取っ手部４３のＸ軸方向の長さの範囲内において取っ手部４３の直上の領域に、第２補強用リブ部としての補強用リブ部４６が設けられている。補強用リブ部４６は、折返し部４１の延設方向において、補強用リブ部４２の配設の間隔に比し、配設の間隔を短く設定している。つまり、単位長さ当たりの補強用リブ部４６の配設数が、単位長さ当たりの補強用リブ部４２の配設数に比し多く設定されている。さらに、補強用リブ部４６は、収納容器４を底面側から見て、三角形の単位セルを形成して折返し部４１（取っ手部４３）に沿って複数配設され、トラス構造を構築している。この補強用リブ部４６は、補強用リブ部４２と同様に、収納容器４に一体に形成されている。
【００２７】
図２〜図５に示されるように、収納容器４において底部４０３の中央部分の全域には、主に通気性を確保するメッシュ部４４が配設されている。メッシュ部４４は、底部４０３の厚さ方向に貫通された複数の貫通孔４４０により形成されている。ここでは、貫通孔４４０はＸ軸方向を長手方向とする長穴により形成され、貫通孔４４０は一定の間隔においてＸ軸方向、Ｙ軸方向のそれぞれに規則的に複数配設されている。
【００２８】
また、図２に示されるように、収納容器４では、底部４０３のメッシュ部４４の外周から側壁部４０１へ至る部分が、縦断面視において、収納容器４の外側へ向かうに従って上側へ傾斜する傾斜部位４０５とされている。
【００２９】
そして、底部４０３には底面から下方に突出された脚部４５が配設されている。ここでは、底部４０３の傾斜部位４０５に対応する位置おいて、Ｙ軸方向中間部においてＸ軸方向に対向して２個、Ｘ軸方向中間部においてＹ軸方向に対向して２個、合計４個の脚部４５が配設されている。脚部４５は収納容器４に一体に形成されている。
【００３０】
（作用及び効果）
本実施の形態に係る動物用トイレ１は、図１〜図３に示されるように、容器本体２と、蓋３と、収納容器４とを備える。容器本体２は、上端部に開口（第１開口）２０２を有する有底筒状に構成される。蓋３は、容器本体２に対して着脱自在に設けられ、開口２０２を塞ぐ構成とされる（図１及び図２参照）。蓋３には厚さ方向に貫通された出入口３１が配設される。出入口３１は、開口２０２を蓋３により塞いだ状態において、容器本体２の内部から外部へ、又容器本体２の外部から内部へ、猫の出入りを可能とする。
ここで、動物用トイレ１は、更に、図１〜図５に示される収納容器４を備える。収納容器４は、上端部に開口（第２開口）４０２を有し、容器本体２に比し高さが低い有底筒状に形成される。図１〜図３に示されるように、収納容器４は、容器本体２の内部においてその底部２０３に配置される。収納容器４の底部４０３には、例えば図示省略の排泄物を吸収する吸収シートが敷かれて、この吸収シート上に「猫砂」と呼ばれる消臭材或いは脱臭材が敷き詰められる。取り扱いとしては、蓋３を開けて容器本体２の内部に収納容器４が設置され、この後に蓋３が閉じられる。そして、排泄物があるときには、蓋３を開けて容器本体２に設置された収納容器４が取り出され、収納容器４に排泄された排泄物が処理される。
このため、蓋３の開け閉めと、収納容器４の出し入れとを行う簡単な構成により、猫の排泄物を簡単に処理することができるので、構造が簡単であり、掃除が簡単に行える動物用トイレ１を提供することができる。
【００３１】
また、動物用トイレ１は、図１〜図３に示されるように、容器本体２に位置決め部２１及び取付け部２２を備え、蓋３に被位置決め部３４及び被取付け部３５を備える。位置決め部２１は、容器本体２の側壁部２０１の開口２０２に近接する位置に配設される。取付け部２２は、位置決め部２１とは異なる位置において、側壁部２０１の開口２０２に近接する位置に配設される。
一方、被位置決め部３４は、蓋３の周縁に配設され、図１及び図２に示されるように、位置決め部２１と嵌合されて容器本体２に対して蓋３の位置決めを行う。被取付け部３５は、蓋３の周縁の被位置決め部３４とは異なる位置に配設され、取付け部２２に着脱自在に取り付けられる。
このため、容器本体２の位置決め部２１に蓋３の被位置決め部３４を一致させて位置決めした後、容器本体２の取付け部２２に蓋３の被取付け部３５を取り付けることにより、容器本体２に簡単に蓋３を取り付けることができる。また、取付け部２２から被取付け部３５を取り外すことにより、容器本体２から蓋３を簡単に取り外すことができる。従って、容器本体２と蓋３との取り付け取り外しが簡単に行える動物用トイレ１を提供することができる。
【００３２】
さらに、動物用トイレ１は、図１〜図３に示されるように、蓋３にリブ部３２と溝部３３とを備える。リブ部３２は、蓋３の下面から下方へ立設され、出入口３１の周縁に沿って複数平行に延設される（図２参照）。溝部３３は、蓋３の下面とは反対側の上面にリブ部３２の配列に対応させて配設され、下面側へ向かって凹設され、かつ、リブ部３２の延設方向に沿って延設される（図１〜図３参照）。
このため、表面及び裏面に凹凸が存在しない板状部材に比し、蓋３の断面二次モーメントを大きくすることができるので、蓋３の全体の剛性を向上させることができる。
加えて、蓋３に配設された溝部３３は、例えば猫が蓋３の上に上った際のすべり止めとして使用される。
【００３３】
また、動物用トイレ１は、図２〜図４に示されるように、収納容器４に、折返し部４１と、補強用リブ部（第１補強用リブ部）４２とを備える。折返し部４１は、開口（第２開口）４０２の周縁から外側へ折り返され、開口４０２の周縁に沿って配設される。補強用リブ部４２は、折返し部４１の折り返された内側において、開口４０２の周縁に沿って所定の間隔に複数配設される。
このため、収納容器４では、上端部に折返し部４１が設けられて二重構造とされ、更に折返し部４１に補強用リブ部４２が設けられるので、折返し部４１の機械強度が高められ、全体の剛性を向上させることができる。
加えて、収納容器４には取っ手部４３が設けられる。取っ手部４３は、折返し部４１よりも下方において、収納容器４の側壁部４０１を貫通して設けられる。取っ手部４３の上方が折返し部４１及び補強用リブ部４２によって機械的強度を高めているので、取っ手部４３が側壁部４０１に設けられていても、収納容器４の全体の剛性を十分に確保することができる。
上記の通り、収納容器４の剛性を向上させることができるので、収納容器４に猫砂等を敷き詰めても収納容器４が撓むことがなく、特に容器本体２からの収納容器４の取り出しを容易に行うことができる。
【００３４】
さらに、図４及び図５に示されるように、上記補強用リブ部４２は、その下端部を折返し部４１よりも下方へ延設させ、収納容器４の側壁部４０１から折返し部４１の下端に繋がる輪郭形状に形成される。
このため、補強用リブ部４２の下端部をガイド部位として使用することができるので、容器本体２の開口２０２の周縁に沿った上端部と収納容器４の折返し部４１の内側とが嵌まり合うこと無く、容器本体２の外部から内部へ収納容器４をスムーズに導いて収納することができる。
【００３５】
また、図２〜図４に示されるように、取っ手部４３は収納容器４の側壁部４０１を絞り込んで突出させた凸部４０４に形成され、凸部４０４は絞り込みにより剛性が高いので、取っ手部４３の機械的強度を向上させることができる。
【００３６】
また、動物用トイレ１は、図５に示されるように、収納容器４において折返し部４１の取っ手部４３に対応する領域に補強用リブ部（第２補強用リブ部）４６を備えている。補強用リブ部４６は第１補強用リブ部４２の配設の間隔に比し短い間隔に設定される。
このため、収納容器４の全体の重さが加わる取っ手部４３及びその近傍の周囲において、収納容器４の機械的強度を向上させることができるので、収納容器４の破損や損傷を効果的に抑制又は防止することができる。
【００３７】
さらに、動物用トイレ１は、図２に示されるように、収納容器４の底部４０３の周辺部分に傾斜部位４０５を備えている。傾斜部位４０５は、収納容器４のメッシュ部４４から外側へ向かうに従って上側へ傾斜する構成とされている。
このため、収納容器４に敷き詰められた猫砂が猫にかき散らかされたとしても、猫砂を自重により収納容器４の底部４０３の中央部分へ自然に集めることができる。
【００３８】
また、動物用トイレ１は、図２に示されるように、容器本体２の底部２０３に収納容器４がピッタリと収まる構成とされている。このため、猫砂がかき散らかされたとしても収納容器４から溢れることがなく、容器本体２の底部２０３に猫砂が散らからない。
【００３９】
（その他の実施の形態）
以上説明したように、本考案は、上記実施の形態に限定されるものではなく、その要旨を逸脱しない範囲において、種々変更可能である。例えば、本考案は、動物用トイレの蓋に形成された出入口の平面視における形状を楕円形状、長円形状、矩形形状等のいずれかの形状に変更してもよい。
また、本考案では、容器本体の開口に沿った折返し部位の一部に、猫砂をすくい上げたり、かき分けたりする専用スコップを掛けておくフックが取り付けられてもよい。
【符号の説明】
【００４０】
１     動物用トイレ
２     容器本体
２１   位置決め部
２２   取付け部
２０２ 開口（第１開口）
３     蓋
３１   出入口
３２   リブ部
３３   溝部
３４   被位置決め部
３５   被取付け部
４     収納容器
４１   折返し部
４２   補強用リブ部（第１補強用リブ部）
４３   取っ手部
４４   メッシュ部
４６   補強用リブ部（第２補強用リブ部）
４４０ 貫通孔
【図１】
0003219723.tif 000003
【図２】
0003219723.tif 000004
【図３】
0003219723.tif 000005
【図４】
0003219723.tif 000006
【図５】
0003219723.tif 000007